(57)【特許請求の範囲】
【請求項１】
浴槽から排出される浴槽水を貯水タンクに導いて貯留し、便器使用時に貯水タンクに貯留された浴槽水を給水ポンプにより汲み上げて洗浄水タンクに供給し、便器洗浄水として再利用する浴槽水再利用システムにおいて、流入口および流出口を有する容器本体と、容器本体の流入口に臨んで設けられ、流入口の開度を調整可能なシャッターと、このシャッターを包囲するように配設された整流板を有するストレーナと、容器本体の流出口に臨んで設けられ、底壁および／または周壁下部に小孔が形成された薬剤筒とからなる滅菌槽が浴槽と貯水タンクを接続する導水管に接続され、滅菌槽に流入される浴槽の浴槽水は、シャッターによって流入量が調整されるとともに整流板によって整流され、さらに、薬剤筒に収容された塩素薬剤と小孔を通して接触され、設定された塩素濃度で流出口を流出することを特徴とする浴槽水再利用システムの殺菌装置。
【発明の詳細な説明】
【０００１】
【発明の属する技術分野】
本発明は、浴槽水を便器洗浄水として再利用する浴槽水再利用システムの殺菌装置に関するものである。
【０００２】
【従来の技術】
一般に、渇水時や断水時に備えて浴槽に浴槽水を溜めておき、便器の洗浄水として再利用することが行われている。この場合、浴槽内の浴槽水を長時間にわたって溜めておくと、浴槽の汚れが激しくなるとともに、浴室が全体に湿潤となり、カビが発生するといった衛生上および保守点検上の問題があった。
【０００３】
このため、浴槽から排出された浴槽水を貯水タンクに導いて貯留し、便器使用時に給水ポンプにより貯水タンクに貯留された浴槽水を汲み上げて洗浄水タンクに供給し、便器洗浄水として再利用することが提案されている（特開平９−３９７９号公報参照）。
【０００４】
このような浴槽水再利用システムにおいては、夏期に貯水タンク内で雑菌が繁殖して浴槽水が腐敗することがあり、その際、浴槽水を便器の洗浄水として再利用すると、洗浄水の白濁や異臭などの不快感の原因となるおそれがある。このような不快感を招くことがないように、浴槽からの浴槽水を塩素殺菌装置に収容した塩素薬剤と接触させて殺菌し、貯水タンクに貯留された浴槽水に雑菌が繁殖するのを防止するようにしている。
【０００５】
【発明が解決しようとする課題】
ところで、前述した浴槽水再利用システムにおいては、浴槽からの浴槽水がそのまま塩素殺菌装置に導入されて塩素薬剤と接触するため、勢いよく流れる流水により塩素薬剤の溶解量が多くなる傾向があった。すなわち、浴槽水の残留塩素濃度が高くなって下流の下水処理施設に対する負荷が大きくなる他、薬剤の消耗が激しく、塩素薬剤を頻繁に交換しなければならないという問題があった。
【０００６】
本発明は、このような問題点に鑑みてなされたもので、便器洗浄水として再利用する浴槽水を設定された塩素濃度に調整して殺菌することのできる浴槽水再利用システムの殺菌装置を提供するものである。
【０００７】
【課題を解決するための手段】
本発明は、浴槽から排出される浴槽水を貯水タンクに導いて貯留し、便器使用時に貯水タンクに貯留された浴槽水を給水ポンプにより汲み上げて洗浄水タンクに供給し、便器洗浄水として再利用する浴槽水再利用システムにおいて、流入口および流出口を有する容器本体と、容器本体の流入口に臨んで設けられ、流入口の開度を調整可能なシャッターと、このシャッターを包囲するように配設された整流板を有するストレーナと、容器本体の流出口に臨んで設けられ、底壁および／または周壁下部に小孔が形成された薬剤筒とからなる滅菌槽が浴槽と貯水タンクを接続する導水管に接続され、滅菌槽に流入される浴槽の浴槽水は、シャッターによって流入量が調整されるとともに整流板によって整流され、さらに、薬剤筒に収容された塩素薬剤と小孔を通して接触され、設定された塩素濃度で流出口を流出することを特徴とするものである。
【０００８】
【発明の実施の形態】
以下、本発明の実施例の形態を図面に基づいて説明する。
【０００９】
図１には、本発明の浴槽水再利用システムの殺菌装置が記載されている。まず、浴槽水再利用システム１について説明すると、住宅Ａの敷地内には貯水タンク２が埋設されており、この貯水タンク２には、住宅Ａの浴室Ｂに設置された浴槽ｂの排水口に一端が接続された導水管３の他端が接続されている。また、貯水タンク２には、給水ポンプ４が付設されており、この給水ポンプ４の吸込口には、貯水タンク２に一端が接続されるとともに、ストレーナ５を配設した吸込管６の他端が接続されている他、給水ポンプ４の吐出口には、住宅Ａの便所Ｃに設置された洗浄水タンクｃに一端が接続された供給管７の他端が接続されている。一方、供給管７には、電磁切換弁８を配設した分岐管９の一端が接続されており、分岐管９の他端は貯水タンク２に接続されている。
【００１０】
したがって、浴槽ｂの浴槽水は、その排水口から導水管３を経て貯水タンク２に貯留されるものである。そして、便所Ｃの洗浄水タンクｃに貯留された洗浄水が便器ｃ１の洗浄に使用されると、詳細には図示しないが、供給管７の圧力低下を検出して給水ポンプ４が作動し、貯水タンク２に貯留された浴槽水を汲み上げて便所Ｃの洗浄水タンクｃに供給するようになっている。一方、貯水タンク２の浴槽水が洗浄水タンクｃに供給され、洗浄水タンクｃが満水となると、洗浄水タンクｃの弁（図示せず）が閉じる結果、供給管７の圧力が上昇して給水ポンプ４の作動を停止させる。
【００１１】
なお、給水ポンプ４が作動を開始すると、電磁切換弁８も同期して開放される結果、供給管７の浴槽水は分岐管９を通して一部貯水タンク２に還流されるものである。このため、貯水タンク２に還流された浴槽水によって貯水タンク２に貯留された浴槽水を攪拌させることができる。そして、給水ポンプ４の作動が停止すれば、電磁切換弁８は閉鎖され、貯水タンク２への還流は停止される。
【００１２】
ところで、浴槽水に溶解させた塩素濃度と細菌数との関係は、図６に示すように、浴槽水１リットルについて約５ｍｇの塩素を溶解させた濃度であれば、大腸菌を含む細菌を確実に死滅させることができる。
【００１３】
このため、前述した導水管３には、滅菌槽１０が配設されている。この滅菌槽１０は、図２に示すように、導水管３に接続可能な流入口１１ａと流出口１１ｂを有する容器本体１１と、この容器本体１１の流入口１１ａの開度を調整する昇降自在なシャッター１２と、シャッター１２を包囲するように流入口１１ａに臨んで配設されたストレーナ１３と、容器本体１１の流出口１１ｂに臨んでに配設された薬剤筒１４と、から構成され、通常容器本体１１の上方開口部は、蓋体１５によって閉鎖されている。そして、シャッター１２は、詳細には図示しないが、スプリングの付勢力によって任意の昇降位置に固定できるようになっており、このため、流入口１１ａの開度を調整して滅菌槽１０への浴槽水の流入量を調整することができる。
【００１４】
また、ストレーナ１３は、容器本体１１に着脱自在に取り付けられており、図３に示すように、プラスチック網やプラスチック製多孔板などにより底壁およびシャッター１２に臨む前面を除く三側壁を備えて形成され、そのシャッター１２と対向する後側壁には、一定高さの整流板１３１がその下端を容器本体１１の底面に接して立設されている。なお、ストレーナ１３の対向する二側壁の上端部間には、把手１３２が掛け渡されており、この把手１３２を把持してストレーナ１３を容器本体１１から引き出すことができるものである。
【００１５】
一方、薬剤筒１４は、容器本体１１に取り付けられており、図４に示すように、塩素薬剤Ｍを収容可能な筒本体１４１と、筒本体１４１の上方開口部を覆う蓋体１４２とからなり、筒本体１４１の周壁下部には、間隔をおいて複数個の小孔１４１ａが形成されているとともに、その底壁にも小孔１４１ｂが形成されている。なお、筒本体１４１は、その底壁に形成された小孔１４１ｂを通して浴槽水が内部に浸入することができるように、容器本体１１の底面との間に一定の空間を確保して容器本体１１に固定されている。
【００１６】
したがって、浴槽ｂの浴槽水が導水管３を経て滅菌槽１０に流入する場合、まず、シャッター１２の昇降位置で決定される流入口１１ａの開度によって流入量が規制された後、整流板１３１に衝突してその左右端部を回り込むように整流される。この際、ストレーナ１３によって毛髪などの異物が捕捉される。そして、整流板１３１によって勢いを減衰された浴槽水は、薬剤筒１４の小孔１４１ａ，１４１ｂを通して浸入し、薬剤筒１４に収容された塩素薬剤Ｍと接触して溶解させる。次いで、塩素薬剤Ｍと接触して塩素を溶出させた浴槽水は、流出口１１ｂを経て流出し、貯水タンク２に貯留される。この際、塩素薬剤Ｍが浴槽水に溶け込むと、次亜塩素酸の働きで有機物を酸化し、雑菌を死滅させるものである。
【００１７】
ここで、１階および２階に一般的な３００リットルの浴槽ｂを設置し、この浴槽ｂに湯水を約８０％満たした状態でシャッター１２の開度を変化させ、流出口１１ｂを流出する浴槽水の塩素濃度を測定した。この実験結果を表１に示す。
【００１８】
【表１】
0003612408.tif 000002
【００１９】
この実験結果によれば、浴槽ｂの設置位置や、薬剤筒１４に形成される小孔１４１ａ，１４１ｂの形成位置およびその個数が変化しても、シャッター１２の開度を変化させることにより、最適な塩素濃度を得ることができることが明らかである。
【００２０】
次に、１階に一般的な３００リットルの浴槽ｂを設置し、この浴槽ｂに湯水を約８０％満たした状態でシャッター１２の開度を変化させるとともに、整流板１３１がある場合とない場合それぞれについて流出口１１ｂを流出する浴槽水の塩素濃度を測定した。この場合の薬剤筒１４としては、筒本体１４１の底壁にのみ小孔１４１ｂを形成したものを使用した。この実験結果を表２に示す。
【００２１】
【表２】
0003612408.tif 000003
【００２２】
この実験結果によれば、整流板１３１を設ける場合、整流板１３１を設けない場合に比較して塩素濃度を低くすることができることが明らかである。すなわち、整流板１３１を設けない場合は、図５（ａ）に示すように、流入口１１ａから流入された浴槽水の大部分は、そのまま薬剤筒１４に衝突し、塩素薬剤Ｍに接触して流出するのに対し、整流板１３１を設けた場合は、図５（ｂ）に示すように、流入口１１ａから流入された浴槽水は、整流板１３１に衝突して整流板１３１を迂回することになり、勢いを減衰されて平均的に薬剤筒１４に衝突し、塩素薬剤Ｍに接触して流出することになる。このため、整流板１３１を設けた場合、塩素薬剤Ｍに対する接触度合いが整流板１３１を設けない場合に比較して弱まり、塩素薬剤Ｍの溶解量が少なくなって塩素濃度が低くなると考えられる。
【００２３】
このように、浴槽ｂからの浴槽水は、シャッター１２、整流板１３１および小孔１４１ａ，１４１ｂにより、設定された最適な塩素濃度に調整されて確実に殺菌されることから、洗浄水の異臭や白濁などの不快感を招来することがなく、また、塩素薬剤Ｍの消耗を抑制することができる。
ものである。
【００２４】
なお、前述した実施形態においては、滅菌槽１０と一体に上水槽２０が付設されており、貯水タンク２に貯留される浴槽水が少ない場合、上水を補給するようにしている。すなわち、上水槽２０は、図２に示すように、滅菌槽１０の容器本体１１を共有するように側壁によって区画したものであり、この上水槽２０には、定水位弁２１を配設した導入管２２が接続されるとともに、その上部および底部にそれぞれオーバーフロー管２３および補給管２４が接続されている。
【００２５】
ここで、定水位弁２１は、ボールタップ２１ａの作動と連動して開閉するものである。具体的には、上水槽２０の水位が低下すると、その水位の低下に追従してボールタップ２１ａの浮子２１ｂが下がり、ボールタップ２１ａに連動している定水位弁２１が開放される。こうして、水道水が、導入管２２および定水位弁２１を経て上水槽２０に導入される。一方、水道水が導入されることによって水位が順次上昇すれば、ボールタップ２１ａの浮子２１ｂが水位の上昇に追従して上昇する。そして、ボールタップ２１ａの浮子２１ｂが上限水位に達した場合、定水位弁２１が閉鎖され、以後、水道水の導入が遮断される。
【００２６】
また、オーバーフロー管２３は、上限水位を越えて供給された水道水を排水するものである。
【００２７】
一方、補給管２４には、定水位弁２５（図１参照）が配設されてその一端が貯水タンク２に接続されている。この定水位弁２５もまた、貯水タンク２に設けられたボールタップ（図示せず）の作動と連動して開閉するものである。すなわち、貯水タンク２の水位が上下すると、その水位の上下に追従してボールタップの浮子２５ｂ（図１参照）が上下し、ボールタップに連動している定水位弁２５が閉鎖され、あるいは、開放される。こうして、上水槽２０の水道水が、補給管２４および定水位弁２５を経て貯水タンク２に導入され、あるいは、導入が遮断される。この結果、貯水タンク２に貯留される浴槽水の水位が設定された水位を維持するように、上水槽２０から水道水が補給されるものである。
【００２８】
また、貯水タンク２の上部には、オーバーフロー管２６の一端が接続され、その他端が便器ｃ１を洗浄した汚水を放流する下水管２７に接続されている。このため、貯水タンク２に貯留された浴槽水が貯水タンク２の上限水位を越えた場合は、浴槽水はオーバーフロー管２６を経て下水管２７に放流されるようになっている。
【００２９】
【発明の効果】
以上のように本発明によれば、浴槽から排出される浴槽水を貯水タンクに導いて貯留し、便器使用時に貯水タンクに貯留された浴槽水を給水ポンプにより汲み上げて洗浄水タンクに供給し、便器洗浄水として再利用する浴槽水再利用システムにおいて、流入口および流出口を有する容器本体と、容器本体の流入口に臨んで設けられ、流入口の開度を調整可能なシャッターと、このシャッターを包囲するように配設された整流板を有するストレーナと、容器本体の流出口に臨んで設けられ、底壁および／または周壁下部に小孔が形成された薬剤筒とからなる滅菌槽が浴槽と貯水タンクを接続する導水管に接続され、滅菌槽に流入される浴槽の浴槽水は、シャッターによって流入量が調整されるとともに整流板によって整流され、さらに、薬剤筒に収容された塩素薬剤と小孔を通して接触され、設定された塩素濃度で流出口を流出することにより、便器洗浄水として再利用する浴槽水を設定された塩素濃度に調整して殺菌することができる。
【図面の簡単な説明】
【図１】本発明の浴槽水再利用システムの殺菌装置を示す概略図である。
【図２】本発明の浴槽水再利用システムの殺菌装置を構成する滅菌槽を上水槽とともに拡大して示す断面図である。
【図３】滅菌槽に設けられた整流板付きストレーナを示す斜視図である。
【図４】滅菌槽に設けられた薬剤筒を示す斜視図である。
【図５】滅菌槽に流入された浴槽水の流れを示す説明図である。
【図６】浴槽水の塩素濃度と雑菌数との関係を示す説明図である。
【符号の説明】
２  貯水タンク
３  導水管
４  給水ポンプ
５  ストレーナ
６  吸込管
７  供給管
８  電磁切換弁
９  分岐管
１０  滅菌槽
１１  容器本体
１２  シャッター
１３  ストレーナ
１３１  整流板
１４  薬剤筒
１４１ａ，１４１ｂ  小孔
２０  上水槽
Ａ  住宅
Ｂ  浴室
ｂ  浴槽
Ｃ  便所
ｃ  洗浄水タンク
ｃ１  便器
【図１】
0003612408.tif 000004
【図２】
0003612408.tif 000005
【図３】
0003612408.tif 000006
【図４】
0003612408.tif 000007
【図５】
0003612408.tif 000008
【図６】
0003612408.tif 000009